(57)【要約】【課題】スキャン済みの原稿の取り難さを解消する。【解決手段】原稿トレイ上の原稿を画像形成装置に自動給紙すると共に自動回収して排出する自動原稿送り装置において、前記原稿トレイから原稿を読み取り部へ給送する給紙部が読み取り後の原稿を排出する排出部より下に配置され、かつ、給紙部の水平方向位置は、排出部の水平方向位置よりも給紙方向に配置される。【選択図】図１
2007238285.tif 000002
【特許請求の範囲】
【請求項１】
原稿トレイ上の原稿を読取部に自動給紙すると共に自動回収して排出する自動原稿送り装置において、
前記原稿トレイから原稿を前記読取部へ給送する給紙部が読み取り後の原稿を排出する排出部より下に配置され、かつ、前記給紙部の水平方向位置は、前記排出部の水平方向位置よりも給紙方向に配置されたことを特徴とする自動原稿送り装置。
【請求項２】
前記原稿トレイの底部は、山型に隆起して形成されたことを特徴とする請求項１に記載の自動原稿送り装置。
【請求項３】
前記原稿トレイは、原稿の幅方向位置を規制するべく対向配置された移動可能な一対の幅合せカーソルを備え、
前記幅合せカーソルは、給送前の原稿上面に横架され、給送前の原稿と排出後の原稿を分離する分離アームを有することを特徴とする請求項１または２に記載の自動原稿送り装置。
【請求項４】
前記原稿トレイは、排出後の原稿の後端を規制する後端カーソルを備えたことを特徴とする請求項１〜３のいずれかに記載の自動原稿送り装置。
【発明の詳細な説明】
【技術分野】
【０００１】
本発明は、複写機、ファクシミリ等の画像形成装置に接続されるＡＤＦ（Auto Document Feeder）等の自動原稿送り装置に関する。
【背景技術】
【０００２】
従来のアナログ複写機やデジタル複写機初期のメモリが高価であった時代には、原稿を原稿ガラス上にセットした状態でスキャンすると同時に感光体を露光することで画像を形成していた。このような画像形成装置用の自動原稿送り装置は、用紙をコピーする度に原稿を原稿台上に配置するよう原稿ベルトを循環することで複数部数のコピー動作を行っていた。
しかし、現在はメモリ単価も下がり、原稿からのデータを画像データ（デジタル信号）として処理する事が可能となり、複合機や複写機等の画像形成装置以外に、スキャナとしてＰＣ（Personal Computer）に画像データとして取込む事も可能となった。
【０００３】
現在の自動原稿送り装置は、画像形成装置内のイメージセンサに原稿を給紙する読込部の位置を固定し、自動原稿送り装置にセットされた原稿を循環することにより画像データを取込むシートスルー型ＡＤＦが主流となっている。このようなシートスルー型ＡＤＦは、循環型ＡＤＦに比べ単純な構成で実現可能であり、上部に設置された給紙トレイの原稿を給紙トレイの下部に設置された排出トレイ上に排紙する構成となっている（例えば、特許文献１）。
【特許文献１】特開２００１−３１２１０５号公報
【発明の開示】
【発明が解決しようとする課題】
【０００４】
しかし、従来のシートスルー型ＡＤＦは、循環型ＡＤＦに比べ単純な構成で実現可能であるが故に原稿セットの容易さが優先され、上部に設置された給紙トレイの原稿を給紙トレイの下部に設置された排出トレイ上に排紙する構成である。
このため、排出されたスキャン済みの原稿にアクセスするのは、給紙トレイが邪魔になるため容易ではなく、原稿を取り忘れる事態等が発生する虞れもあった。
【０００５】
この発明は、上記に鑑み提案されたもので、原稿の混同を防止するとともに原稿へのアクセスを容易にして原稿の取り忘れを防止することを目的とするものである。
【課題を解決するための手段】
【０００６】
上記目的を達成する為に、本発明では、第１の解決手段として、原稿トレイ上の原稿を読取部に自動給紙すると共に自動回収して排出する自動原稿送り装置において、原稿トレイから原稿を読み取り部へ給送する給紙部が読み取り後の原稿を排出する排出部より下に配置され、かつ、給紙部の水平方向位置が排出部の水平方向位置よりも給紙方向に配置される、という手段を採用する。
【０００７】
また、第２の解決手段として、原稿トレイの底部が山型に隆起して形成される、という手段を採用する。
【０００８】
また、第３の解決手段として、原稿トレイが原稿の幅方向位置を規制するべく対向配置された移動可能な一対の幅合せカーソルを備え、前記幅合せカーソルは、給送前の原稿上面に横架され、給送前の原稿と排出後の原稿を分離する分離アームを有する、という手段を採用する。
【０００９】
また、第４の解決手段として、原稿トレイが排出後の原稿の後端を規制する後端カーソルを備える、という手段を採用する。
【発明の効果】
【００１０】
このような解決手段を採用する本発明は、以下の効果を奏する。
すなわち、本発明では、原稿トレイ上の原稿情報を読み取って画像データに変換するデジタル複写機、複合機あるいはフラットベット型スキャナ等の画像形成装置に接続される自動原稿送り装置（ＡＤＦ）において、前記原稿トレイから原稿を読み取り部へ給送する給紙部が読み取り後の原稿を排出する排出部より下に配置されるとともに、給紙部の水平方向位置は、排出部の水平方向位置よりも給紙方向に配置されたので、スキャン前の原稿とスキャン済みの原稿の混合を防止して、排出された原稿が給紙部に再度入る事を防止するとともに、スキャン済みの原稿の取り難さを解消することができる。また、給紙トレイを別途設ける必要がなく、省くことができる。
【００１１】
また、原稿トレイの底部が山型に隆起して形成されたので、スキャン前の原稿とスキャン済みの原稿の混合を防止することができる。また、スキャン済みの原稿の取り難さを解消することができる。
【００１２】
また、原稿トレイが原稿の幅方向位置を規制するべく対向配置された移動可能な一対の幅合せカーソルを備え、前記幅合せカーソルは、給送前の原稿上面に横架され、給送前の原稿と排出後の原稿を分離する分離アームを有するので、スキャン前の原稿とスキャン済みの原稿の混合を防止することができる。
【００１３】
また、原稿トレイが排出後の原稿の後端を規制する後端カーソルを備えたので、スキャン前の原稿とスキャン済みの原稿の混合を防止できる。
【発明を実施するための最良の形態】
【００１４】
以下、図面を参照して、本発明の実施形態について詳しく説明する。
図１は、第１実施形態に係る自動原稿送り装置を示す説明図、図２は本発明の自動原稿送り装置の平面図である。ここで、自動原稿送り装置１０は、原稿トレイ１１と、原稿トレイ１１上の原稿１２を原稿搬送路１３に送り出す給紙部１４と、原稿搬送路１３の途中に設けられた原稿読み取り部１５と、読み取られた原稿を排出する排出部１６を備えており、原稿から情報を読み取って画像データに変換するデジタル複写機／複合機／フラットベット型スキャナ等の画像形成装置に接続して使用される。また、原稿を送り出す給紙部１４は、原稿を排出する排出部１６より下に位置している。
【００１５】
排出部１６は、除電器１７を備えており排出される原稿の帯電を防止する。除電器１７は、原稿搬送路１３を搬送される原稿が搬送ローラ等との摩擦によって帯電した電荷を取り除くもので、除電ブラシ、除電シート、除電ローラ等を使用することができる。また、非接触式であってもよい。
【００１６】
原稿トレイ１１は、原稿の幅方向位置を規制するべく対向配置された移動可能な一対の幅合せカーソル２０を備えている。また、幅合せカーソル２０は、給送前の原稿上面に横架され、給送前の原稿と排出後の原稿を分離する分離アーム２０ａを有している。左右の分離アーム２０ａの先端は、原稿の幅を合わせた際に原稿上面に原稿幅より狭い開口部２１を形成する。また、この開口部２１は、この上に排出されたスキャン済みの原稿が落ち込まない程度の寸法とする。
【００１７】
給紙部１４は、原稿トレイ１１の上にサバキ機構２２を備えている。サバキ機構２２は、原稿面を下向きに積層した最上端の原稿に当接して、原稿を順次原稿読み取り部１５へ給送する。原稿読み取り部１５は、逆順に原稿を読取り、読取った画像データを図外のハードディスク、メモリ等の記憶手段へ保存する。また、保存された画像データは、逆順に印字部、ディスプレイ等の出力手段から出力することができる。また、tiff、jpg、pdf 形式に変換して出力してもよい。
【００１８】
次に、以上のように構成された自動原稿送り装置１０において、原稿トレイ１１上に積載された原稿１２は、給紙部１４からサバキ機構２２によって順次給送され、原稿読み取り部１５で画像情報が読み取られる。画像情報が読み取られた原稿は、原稿搬送路１３を通って除電器１７で帯電した電荷を除電した後、排出部１６から排出される。排出部１６は、給紙部１４より先端に突出して配設されており、排出された原稿はその先端が後端カーソル１９に自然落下で当接して停止する。また、排出された原稿の後端部は、幅合せカーソル２０の分離アーム２０ａ上に乗っている。したがって、排出された原稿の後端と給紙される前の原稿の前端が完全に分離されて、スキャン済みの原稿が再度給送される虞がない。また、排出された原稿は、除電されているので、排出された原稿がスキャン前の原稿の送りに悪影響を与える虞がない。
【００１９】
図３は、第２実施形態に係る自動原稿送り装置を示す説明図、図４はその平面図である。本実施例において、原稿トレイ２４の底部は、山型に隆起して形成されている。隆起した山の稜線２４ａは、原稿の幅方向に延びている。また、稜線２４ａは、排出部１６の近傍に位置しており、原稿トレイ２４の後端に設置された後端カーソル１９に向かってなだらかに傾斜している。また、稜線２４ａから給紙部１４に向かって傾斜している。
【００２０】
原稿トレイ２４の稜線２４ａから給紙部１４に至る間に幅合せカーソル２５が配置されている。幅合せカーソル２５は、第１の実施の形態と同様に給送前の原稿上面に横架され、給送前の原稿と排出後の原稿を分離する分離アーム２５ａを有している。左右の分離アーム２５ａの先端は、原稿の幅を合わせた際に原稿上面に原稿幅より狭い開口部２１を形成する。また、この開口部２１は、この上に排出されたスキャン済みの原稿が落ち込まない程度の寸法とする。
【００２１】
次に、以上のように構成された自動原稿送り装置３０において、原稿トレイ２４上に積載された原稿１２は、給紙部１４からサバキ機構２２によって順次給送され、原稿読み取り部１５で画像情報が読み取られる。画像情報が読み取られた原稿は、原稿搬送路１３を通って排出部１６から排出される。排出部１６は、給紙部１４より先端に突出して配設されるとともに、排出された原稿は原稿トレイ２４の稜線２４ａより先（後端カーソル１９側）に落下するので、自重で移動し後端カーソル１９に当接して停止する。また、排出された原稿の後端部は、幅合せカーソル２５の分離アーム２５ａ上に乗っている。したがって、排出された原稿の後端と給紙される前の原稿の前端が完全に分離されて、スキャン済みの原稿が再度給送される虞がない。
【００２２】
なお、以上の実施の形態では、除電器を原稿搬送路中に設ける場合について説明したが、原稿トレイに除電器を設け、スキャン済みの原稿とスキャン前の原稿との摩擦帯電を防止してもよい。
【図面の簡単な説明】
【００２３】
【図１】図１は、本発明の第１実施形態に係る自動原稿送り装置を示す説明図である。
【図２】図２は、本発明の第１実施形態に係る自動原稿送り装置の平面図である。
【図３】図３は、本発明の第２実施形態に係る同自動原稿送り装置を示す説明図である。
【図４】図４は、本発明の第２実施形態に係る同自動原稿送り装置の平面図である。
【符号の説明】
【００２４】
１０、３０…自動原稿送り装置、１１、２４…原稿トレイ、１２…原稿、１３…原稿搬送路、１４…給紙部、１５…原稿読み取り部、１６…排出部、１７…除電器、１９…後端カーソル、２０、２５…幅合せカーソル、２０ａ…分離アーム、２１…開口部、２２…サバキ機構
【図１】
2007238285.tif 000003
【図２】
2007238285.tif 000004
【図３】
2007238285.tif 000005
【図４】
2007238285.tif 000006